(57)【要約】      （修正有）【課題】折り畳み自転車のチェーンにテンショナンを掛ける装置とチェーンウオッチャーと折りたたみするときに弛んだチェーンを巻き取ってチェーンの脱落を防止する装置を提供する。【解決手段】プーリー３を取り付けた腕４とチェーンを通す筒１を付けた腕２を取り付けた円盤をボトムブラケットの周りにはめ込みフレーム２７とバネで繋ぎ、チェーン２２を筒１へ通し、プーリーが下端にくるようにチェーンリングに掛け、プーリーがバネの力で弛みを解消する。チェーンリングが反時計回り方向２５へ回転してチェーンが外れそうになるとプーリーがチェーンを押し戻して外れ防止する。自転車を折りたたむときに弛んだチェーンを巻き取り脱落を防止する。チェーンが短い場合はプーリーの付いた腕４が反時計回り方向２５へ回転してチェーンが切れるのを防止する。もう一方の筒の付いた腕がチェーンを引っ張りチェーンリングからの脱落を防止する。【選択図】図４
2017206220.tif 000002
【特許請求の範囲】
【請求項１】
先端へプーリー又はチェーンとの摩擦の少ない円柱を取り付けたチェーンウオッチャーを、自転車のボトムブラケット周りへはめ込んで、チェーンウオッチャーとフレームを固定せずにバネでつなぎ、チェーンにテンションを掛るチェーンテンショナー。
【請求項２】
先端へプーリー又はチェーンとの摩擦の少ない円柱を取り付けたチェーンウオッチャーを、自転車のボトムブラケット周りへはめ込んで、チェーンウオッチャーとフレームを固定せずにバネでつなぎ、折りたたみ自転車が折りたたまれるときに、緩んだチェーンを巻き取って、チェーンの脱落防止と、チェーンが強く引っ張られても切れない様にボトムブラケット周りを回転してチェーンの張り具合を調整するチェーンテンショナー。
【請求項３】
先端へチェーンを通す筒を取り付けた腕と、チェーンウオッチャーの腕と、対を成すチェーンウオッチャーを自転車のボトムブラケット周りへはめ込んで、チェーンウオッチャーとフレームを固定せずにバネでつなぎ、折りたたみ自転車が折りたたまれるときに緩んだチェーンを巻き取るチェーンの脱落防止装置。
【発明の詳細な説明】
【技術分野】
【０００１】  本発明は、折りたたみ自転車のチェーンの緩み解消と外れ防止装置に関するものである。【０００２】  自転車のチェーンは使用しているうちに徐々に引き伸ばされチェーンリングから外れ易くなるが、その都度調整する手間を省くためチェーンにテンションを掛ける装置が必要である。また、折りたたみ自転車は折りたたむとチェーンリングと駆動輪の距離が近づきチェーンが弛み脱落しやすくなるため弛んだチェーンを巻き取る装置が必要である。【０００３】  また、自転車にはチェーンリングを逆回転させるとチェーンがチェーンリングから外れ易くなる欠点があるためチェーンリングの逆回転によるチェーンの外れを防止するチェーンウオッチャーという装置を備えると便利である。【０００４】  しかし、携帯性を重視する折りたたみ自転車にチェーンにテンショナンを掛ける装置とチェーンウオッチャーの両方を装備すると重量と折りたたみサイズが増し、更に部品点数が増え故障の原因にもなっていた。【０００５】  折り畳み自転車では軽量化や折りたたみ機構上スペースが限られ最適な位置へチェーンにテンショナンを掛ける装置とチェーンウオッチャーの両方を装備することは困難であった。【０００６】  他にも駆動力を自転車の駆動輪へ伝える方法としてベルトドライブ装置とシャフトドライブ装置があり、ベルトドライブ装置のベルトはチェーンドライブ装置のチェーンと同様に使用しているうちに徐々に引き伸ばされ駆動効率が低下するためベルトの弛みを解消させるテンショナー装置が必要であり、シャフトドライブ装置は簡単に外れる心配がないが重量が重いため折りたたみ自転車に採用するメリットよりもデメリットの方が大きかった。
【発明の概要】
【発明が解決しようとする課題】
【０００７】  折りたたみ自転車のチェーンにテンショナンを掛ける装置とチェーンウオッチャーと折りたたみする時に弛んだチェーンを巻き取ってチェーンの脱落を防止する装置を限られたスペースへ重量を増やさずに装備する。
【課題を解決するための手段】
【０００８】  本発明は、２種類の腕を付けたチェーンウオッチャーをボトムブラケット周りへはめ込んで固定せずに回転可能状態のままバネでフレームへ繋ぐことを最も主要な特徴とする。
【発明の効果】
【０００９】  本発明は、チェーンウオッチャーにバネを付ける簡単な方法で自転車のチェーンの緩みを解消するチェーンテンショナーとチェーンリングの逆回転によるチェーン外れを解消するチェーンウオッチャーと折りたたみ自転車を折りたたむときにチェーンリングと駆動輪が近づいて緩んだチェーンを巻き取るチェーン脱落防止装置の合計３つの役割を１つで果たせるので、自転車の重量と製造コストを引き下げれるという利点がある。
【図面の簡単な説明】
【００１０】
【図１】本発明の断面図である。
【図２】本発明の平面図である。
【図３】本発明が自転車のボトムブラケットから脱落するのを防止するカバーとカバーをボトムブラケット周りへ固定するネジの断面図である。
【図４】本発明を装着した折りたたみ自転車のイメージ図である。
【図５】本発明を装着した自転車が折り畳まれて本発明が作用するイメージ図である。
【発明を実施するための形態】
【００１１】  図４は、本発明を装着した折り畳み自転車のイメージ図を示すが、先端へプーリー（３）を取り付けた腕（４）とチェーン（２２）を通す筒（１）を先端に付けた腕（２）を取り付けた円盤（８）はボトムブラケット（１９）の周りにはめ込まれフレーム（２７）とバネ（９）で繋がれている。
【００１２】  チェーン（２２）を筒（１）へ通しプーリー（３）が下端にくるようにチェーンリング（２３）へ掛けるとプーリー（３）がバネ（９）の力で時計回り方向（２４）へ引っ張られチェーン（２２）へ常にテンションを掛けチェーン（２２）が伸びることで緩んだ弛みを解消する。
【００１３】  チェーンリング（２３）が逆回転してチェーン（２２）が外れそうになると、プーリー（３）がチェーン（２２）を押し戻して、チェーン（２２）が外れるのを防止する。
【００１４】  折りたたむときに駆動輪（２６）がフレーム（２７）の下に格納され、駆動輪（２６）とチェーンリング（２３）の距離が近づき、弛んだチェーン（２２）をプーリー（３）と腕（４）が時計回り方向（２４）へ回転して巻き取る。しかし、チェーン（２２）が短い場合は反時計回り方向（２５）へ回転してチェーン（２２）が切れるのを防止する。また、この時に筒（１）と腕（２）も反時計回り方向（２５）へ回転しながらチェーンリング（２３）の外周に沿ってチェーン（２２）を引っ張り、チェーン（２２）がチェーンリング（２３）から外れないようにする。
【産業上の利用可能性】
【００１５】  チェーンウオッチャーにテンション機能を持たせるだけで様々な自転車のチェーンの弛み防止と脱落防止用チェーンテンショナーとして利用できる。
【符号の説明】
【００１６】  １．筒                            １５．穴
２．腕                            １６．穴
３．プーリー                      １７．ネジ
４．腕                            １８．ネジ
５．突起                          １９．ボトムブラケット
６．長穴                          ２０．ネジ穴
７．長穴                          ２１．ネジ穴
８．円盤                          ２２．チェーン
９．バネ                          ２３．チェーンリング
１０．バネ片端                      ２４．時計回り方向
１１．バネ片端                      ２５．反時計回り方向
１２．カバー                        ２６．駆動輪
１３．溝                            ２７．フレーム
１４．溝
【図１】
2017206220.tif 000003
【図２】
2017206220.tif 000004
【図３】
2017206220.tif 000005
【図４】
2017206220.tif 000006
【図５】
2017206220.tif 000007